(57)【要約】【課題】  保護者の肩への負担を軽減できる補助輪付きベビーホルダーの提供【解決手段】  本発明に係る補助輪付きベビーホルダーは、抱きベルト付きチャイルドシートの背面部に車輪付きの長さ調節可能な補助輪付き補助脚を１本または２本取り付けることで構成される。補助脚の長さ調節は、入れ子式継ぎ手で行うことも可能であるし、折り畳みによって行ったり、着脱により行うことも可能である。【選択図】        図１
2005296518.tif 000002
【特許請求の範囲】
【請求項１】
抱きベルト付きチャイルドシートの背面部に車輪付きの長さを調節し固定可能な脚を取り付けたことを特徴とする補助輪付きベビーホルダー。
【請求項２】
長さ調節可能な脚が、背面部の中央部に取り付けられた１本の脚であることを特徴とする請求項１記載の補助輪付きベビーホルダー。
【請求項３】
長さ調節可能な脚が、背面部の左右両側に取り付けられた２本の脚であることを特徴とする請求項１記載の補助輪付きベビーホルダー。
【請求項４】
脚の長さ調節を、入れ子式継ぎ手で行うことを特徴とする請求項１ないし３のいずれかに記載の補助輪付きベビーホルダー。
【請求項５】
脚の長さ調節を、折り畳みによって行うことを特徴とする請求項１ないし３のいずれかに記載の補助輪付きベビーホルダー。
【請求項６】
脚の長さ調節を、着脱により行うことを特徴とする請求項１ないし３のいずれかに記載の補助輪付きベビーホルダー。
【発明の詳細な説明】
【技術分野】
【０００１】
保護者の負担を軽減できる補助輪付きベビーホルダーに関する。
【背景技術】
【０００２】
乳幼児を抱きかかえて搬送するタイプのベビー ホルダーは、従来、乳幼児の体重を肩に掛けたベルトにより支える構成となっており、肩に掛けるベルトや乳幼児の体を支える部分などを有している。しかしながら、従来のベビーホルダーは、ホルダーおよび幼児の全荷重を保護者の肩で支えなければならないので、保護者の負担が大きかった（特許文献１、特許文献２）。
【特許文献１】特開平１１−２４０４５３号公報
【特許文献２】特開２０００−２６２３６０号公報
【発明の開示】
【発明が解決しようとする課題】
【０００３】
本発明は上述の事柄に留意してなされたもので、保護者の負担を軽減できる補助輪付きベビーホルダーを提供することを課題とする。
【課題を解決するための手段】
【０００４】
請求項１の補助輪付きベビーホルダーの発明は、抱きベルト付きチャイルドシートの背面部に車輪付きの長さを調節し固定可能な脚を取り付けたことを特徴とし、また、請求項２の補助輪付きベビーホルダーの発明は、請求項１の発明における長さ調節可能な脚が、背面部の中央部に取り付けられた１本の脚であることを特徴とし、さらに、請求項３の補助輪付きベビーホルダーの発明は、請求項１の発明における長さ調節可能な脚が、背面部の左右両側に取り付けられた２本の脚であることを特徴とする。
【０００５】
請求項４の補助輪付きベビーホルダーは、請求項１ないし３のいずれかの発明における脚の長さ調節を、入れ子式継ぎ手で行うことを特徴とし、請求項５の補助輪付きベビーホルダーは、請求項１ないし３のいずれかにおける脚の長さ調節を、折り畳みによって行うことを特徴とし、請求項６の補助輪付きベビーホルダーの発明は、請求項１ないし３のいずれかの発明における脚の長さ調節を、着脱により行うことを特徴とする。
【発明の効果】
【０００６】
幼児とベビーホルダー本体の重量の大半を車輪に掛けることができるので、保護者の身体的負担を大幅に軽減できる。
構造が簡単で、カーボンファイバー、アルミニュームなど計量で強靱な素材を使用することによりわずかな重量の増加で製作できる。
【０００７】
ワンタッチで脚の伸縮が行えるので、階段の上り下りの際には、装着状態のまま脚を縮めることにより、車輪が階段に当接することなく階段を昇降でき、また、装着状態で脚の長さが調節できるので、公共交通機関の乗り降りや着席もベビーホルダーを肩から外さずに行える。
【発明を実施するための最良の形態】
【０００８】
本発明に係る補助輪付きベビーホルダーは、抱きベルト付きチャイルドシートの背面部に車輪付きの長さ調節可能な補助輪付き補助脚を１本または２本取り付けることで構成される。
補助脚の長さ調節は、入れ子式継ぎ手で行うことも可能であるし、折り畳みによって行ったり、着脱により行うことも可能である。
【０００９】
以下図面にもとづいて本発明に係る補助輪付きベビーホルダーの実施例を説明するが、本発明はこの実施例によって限定されるものではない。
【実施例１】
【００１０】
《基板》
本発明のベビーホルダーは図１に示すように、基板１０、クッション２３、遊動車輪３２付き補助脚２７とで構成されている。
【００１１】
基板１０は、シート部１１、シートバック部１２、サイドサポート部１４、１４でクッション２３の収容空間を形成している。
サイドサポート部１４、１４には後方張り出し部が形成されており、同部には自動車のシートベルトを通すために複数の孔１５が設けられている。
【００１２】
図４は、基板１０を上方から見た図面である。装着時保護者と基板との間に空間部が生じるので、同空間を埋める形状の小物入れ１９を基板１０の背面部に取り付ける。
シートバック部１２の左右中間位置に上方部が浅く下方部に行くに従って深くなるパイプ取付用凹部１３が形成されている。
【００１３】
基板１０のシート部１１の下面には、ベビーホルダーを床面に安定して置くことができるように安定脚１６、１７が設けられている。
後方の脚１７は、使用時保護者の歩行の障害にならないように折り畳み自在に構成する。サイドサポート部１４、１４に両端部を固定したガード部材１８が設けられている。長さが調節可能な左右一対の肩掛けベルト２０、２０が、一端をシートバック部の上辺部に取り付けられ、他端にはサイドサポート部１４、１４に設けた接続金具２１、２１に係合する接続金具２２、２２が取り付けられている。接続金具の１例としては、鞄等のベルトの接続に用いるプラスチック製のフックホルダーが使用できる。
【００１４】
《補助脚》
補助脚２７は、基板１０のシートバック部１２に形成されたパイプ取付用凹部１３に取付金具２９によって取り付けられる固定パイプ２８と、固定パイプ２８に入れ子式に接続された伸縮パイプ３０とで構成されている。伸縮パイプ３０の先端には遊動式の車輪３２が取り付けられており、走行を容易にする。
図２は、使用時の補助脚２７の状態と補助脚２７を最短にした際の車輪３２の位置を示したものである。
また、図５に示すとおり、伸縮パイプ３０は、固定パイプ２８に設けたワンタッチ操作の伸縮止め具３１によって伸縮状態を保持する。
なお、本実施例では脚の伸縮を２段式にしたが、保護者の身長を考慮して３段式にしてもよい。
なおまた、脚を構成するパイプは、断面方形のパイプを用いるのが好ましい。
【００１５】
《クッション》
図３を見ると分かるとおり、クッション２３は、基板１０で形成されたクッション収容空間内に適合する形状をしており、シート部２４とシートバック部２５とで形成されている。
また、基板１０に端部が固定された幼児用のシートベルト２６がクッション２３に設けられたベルト挿通孔を通ってベビーショルダーの前面に延びており、使用時の幼児の身体をベビーホルダーに固定することができる。
なお、クッション２３は、基板１０に形成されたパイプ取付用凹部１３の左右の凹部に嵌合する部分のみを硬質材料で形成しその上にクッション材を重ね合わせると、クッションの当たりを均一にでき安定した着座を可能にできる。
【００１６】
本実施例に係る補助輪付きベビーホルダーの使用状態を示したものが図６である。
上記構成の補助輪付きベビーホルダーは、クッションの上に幼児を座らせてシートベルトで安定させて保護者がガード部材を握って押すことにより走行させると、保護者の胸部にかかる負担を軽減することができる。
なお、ガード部材にブレーキ操作部を取り付け、遊動車輪に設けたブレーキを操作できるようにすると、坂道を下るよう場合、幼児の体重および補助輪付きベビーホルダーの自重によって前方に引っ張られることを低減できる。
【実施例２】
【００１７】
本実施例は、補助脚を２本用いた例であり、実施例１における補助脚と同一構造の補助脚２本を平行状態に車輪近傍で接続部材によって連結し、各々の補助脚の固定用パイプシートバック部の左右両側のパイプ取付用凹部１３、１３に装着したものであり、実施例１に比べて下方部に行くに従って深くする度合いを大きくすることができるので、１本脚のよりも深くなりキャスター角がより大きくなり、使用時の安定性が向上する。
【図面の簡単な説明】
【００１８】
【図１】ベビーホルダーの全体の斜視図である。
【図２】ベビーホルダーの側面図である。
【図３】ベビーホルダーの断面図である。
【図４】基板の上面図である。
【図５】脚の一部拡大図であり、(a)はロック装置を解除した状態、(b)はロック装置を固定した状態を示す。
【図６】使用状態の説明図である。
【符号の説明】
【００１９】
１０  基板
１１  基板のシート部
１２  基板のシートバック部
１３  パイプ取付用凹部
１４  基板のサイドサポート部
１５  シートベルト挿通孔
１６、１７  安定脚
１８  ガード部材
１９  小物入れ
２０  肩掛けベルト
２１、２２  接続金具
２３  クッション  
２４  クッションのシート部
２５  クッションのシートバック部
２６  シートベルト
２７  補助脚
２９  取付金具
２８  固定パイプ
３０  伸縮パイプ
３１  伸縮止め具  
３２  遊動車輪
【図１】
2005296518.tif 000003
【図２】
2005296518.tif 000004
【図３】
2005296518.tif 000005
【図４】
2005296518.tif 000006
【図５】
2005296518.tif 000007
【図６】
2005296518.tif 000008
【手続補正書】
【提出日】平成16年4月26日(2004.4.26)
【手続補正１】
【補正対象書類名】明細書
【補正対象項目名】０００１
【補正方法】変更
【補正の内容】
【０００１】
保護者の負担を軽減できる補助輪付きベビーホルダー（ベビーキャリー）に関する。